(57)【特許請求の範囲】
【請求項１】
映像信号を信号処理部に入力し、所要の信号処理を行い、表示器に入力し表示するものにおいて、
高輝度および低輝度の入り交じったホワイトノイズ状の信号を発生する疑似ホワイトノイズ信号発生部と前記映像信号を検出する映像信号検出部と、前記疑似ホワイトノイズ信号発生部よりの信号および前記映像信号を切換えるスイッチとを設け、
前記映像信号検出部よりの映像信号なしの信号にて前記スイッチを疑似ホワイトノイズ信号発生部側に切換え、疑似ホワイトノイズ信号発生部よりの信号を前記信号処理部を介し表示器に入力するようにした表示器の焼付防止装置。
【請求項２】
前記映像信号検出部よりの映像信号なしの時間を計時する時計部を設け、映像信号のない状態が所要時間継続した場合に前記スイッチを前記疑似ホワイトノイズ信号発生部側に切換えるようにした請求項１記載の表示器の焼付防止装置。
【請求項３】
前記疑似ホワイトノイズ信号発生部は、高輝度および低輝度の入り交じったホワイトノイズ状のパターンを記憶するノイズパターン記憶部と、ノイズパターン記憶部より読出したデータをアナログ信号に変換するＤ／Ａ変換部と、Ｄ／Ａ変換部よりの信号に基づいて疑似ホワイトノイズ信号を生成する疑似ホワイトノイズ信号生成部とからなる請求項１または請求項２記載の表示器の焼付防止装置。
【請求項４】
前記ノイズパターン記憶部は、各画素を高輝度および低輝度で交互に表示するためのパターンを記憶するものでなる請求項３記載の表示器の焼付防止装置。
【請求項５】
前記ノイズパターン記憶部は、各画素を所要回数につき１回ずつ順次高輝度で表示し他の画素を低輝度で表示するための所要種類のパターンを記憶するものでなる請求項３記載の表示器の焼付防止装置。
【発明の詳細な説明】
【０００１】
【発明の属する技術分野】
本発明は表示器の焼付防止装置に係り、映像信号が途切れた間に疑似ホワイトノイズを表示し、焼付きを防止（目立たなくする）するものに関する。
【０００２】
【従来の技術】
プラズマディスプレイパネル（ＰＤＰ）等の表示器では映像表示によって焼付きが生じる。この焼付きは、ＰＤＰの同じセルが長時間連続して高輝度で点灯された場合に顕著に現れるもので、焼付きの防止には、例えば、同一の映像が長時間表示された場合に映像の濃淡を反転する、映像の輝度を下げる、あるいは予め用意された別の映像に切換える等の方法が用いられていた。しかし、映像の濃淡を反転するものは見た目には別の映像になってしまい、映像の輝度を下げるものは暗い映像の場合に映像が沈んで見えにくくなるという不自然なものであり、また、見ていた映像が突然別の映像に切換わるのでは機器に異常が生じたのではないかと誤解される恐れがある。
【０００３】
【発明が解決しようとする課題】
テレビジョン受像機等では、映像入力の切換え等の都度映像入力が途切れる。そこで、映像の途切れる間を利用し、不自然に感じない画面にしながら焼付き防止処理（目立たなくする処理）を行えるようにすることにある。
【０００４】
【課題を解決するための手段】
本発明は上述の課題を解決するため、映像信号を信号処理部に入力し、所要の信号処理を行い、表示器に入力し表示するものにおいて、
高輝度および低輝度の入り交じったホワイトノイズ状の信号を発生する疑似ホワイトノイズ信号発生部と前記映像信号を検出する映像信号検出部と、前記疑似ホワイトノイズ信号発生部よりの信号および前記映像信号を切換えるスイッチとを設け、
前記映像信号検出部よりの映像信号なしの信号にて前記スイッチを疑似ホワイトノイズ信号発生部側に切換え、疑似ホワイトノイズ信号発生部よりの信号を前記信号処理部を介し表示器に入力するようにした表示器の焼付防止装置を提供するものである。
【０００５】
【発明の実施の形態】
本発明による表示器の焼付防止装置では、映像信号をディジタル信号に変換し、信号処理部で所要の信号処理を行って表示するものにおいて、各画素を所要回数につき１回ずつ順次高輝度で表示し他の画素を低輝度で表示するための所要種類のパターンをノイズパターン記憶部に記憶し、ノイズパターン記憶部より読出したデータをＤ／Ａ変換部でアナログ信号に変換し、Ｄ／Ａ変換部よりの信号に基づいて疑似ホワイトノイズ信号生成部で疑似ホワイトノイズ信号を生成する。映像信号を映像信号検出部で検出し、映像信号の検出されない状態が所要時間継続した場合、信号処理部の前段のスイッチを映像信号側から疑似ホワイトノイズ信号生成部側に切換え、信号処理部で処理し、表示器（ＰＤＰ）に入力し、疑似ホワイトノイズを表示し、焼付きを防止（目立たなくする）する。
【０００６】
【実施例】
以下、図面に基づいて本発明による表示器の焼付防止装置の実施例を詳細に説明する。図１は本発明による表示器の焼付防止装置の一実施例の要部ブロック図である。図において、１はノイズパターン記憶部で、ＲＯＭ（読出し専用メモリ）等で構成し、例えば、図２に示す４種類のパターンのデータを記憶する。２はＤ／Ａ変換部で、ノイズパターン記憶部１より読出したデータをアナログ信号に変換する。３は疑似ホワイトノイズ信号生成部で、Ｄ／Ａ変換部２よりの信号に基づき疑似ホワイトノイズ信号（同期信号を有する）を生成する。４は映像信号を入力する端子である。５は映像信号検出部で、水平・垂直同期信号の有無等により映像信号を検出する。６は時計部で、映像信号検出部５よりの映像信号なしの時間を計時し、映像信号なしの状態が所要時間継続したとき信号を出力する。７は制御部で、時計部６よりの信号にてスイッチ８をａ側（映像信号側）からｂ側（疑似ホワイトノイズ信号生成部側）に切換え、映像信号検出部５よりの映像信号ありの信号にてａ側に切換える。９はＡ／Ｄ変換部で、スイッチ８を介し入力される信号をディジタル信号に変換する。10は信号処理部で、Ａ／Ｄ変換部９よりの信号をＰＤＰ11（表示器）に表示するためのガンマ補正および同期信号処理等を行う。
【０００７】
次に、本発明による表示器の焼付防止装置の動作を説明する。ノイズパターン記憶部１には、ＰＤＰ11の各セルを高輝度および低輝度で交互に点灯する、すなわち、所要画素（ＰＤＰのセルに対応）数おきに１画素ずつ順次位置をずらして高輝度で点灯させるための所要種類数のパターンのデータ、例えば、図２に示すパターン１〜パターン４（いずれも画面の一部を示す）の４種類のデータを記憶する（白：高輝度、黒：低輝度）。そして、制御部７により、これら４種類のパターンデータを、例えば、60分の１秒の間隔で順次切換えて読出し、Ｄ／Ａ変換部２でアナログ信号に変換し、疑似ホワイトノイズ信号生成部３に入力し、同期信号を有する疑似ホワイトノイズ信号を生成する。
【０００８】
一方、端子４よりの映像信号は映像信号検出部５に印加され、常時映像信号の有無を検出（水平・垂直同期信号の有無に基づき検出）し、制御部７により、映像信号検出部５よりの映像信号ありの信号にてスイッチ８をａ側に切換える。これにより、端子４よりの映像信号はスイッチ８を介しＡ／Ｄ変換部９に入力し、ディジタル信号に変換され、信号処理部10でガンマ補正および同期信号の処理等を行い、ＰＤＰ11に入力し、正常な階調の映像を表示する。そして、例えば、テレビジョン受像機の映像入力の切換え等で端子４よりの映像信号が途切れたとき、映像信号検出部５よりの信号に基づき時計部６で無映像信号の時間を計時し、所要時間、例えば、１秒間継続した場合、制御部７によりスイッチ８をｂ側に切換え、疑似ホワイトノイズ信号生成部３よりの信号をＡ／Ｄ変換部９に入力し、ディジタル信号に変換し、信号処理部10を介しＰＤＰ11に入力する。
【０００９】
これにより、ＰＤＰ11の画面は図２のパターン１、２、３および４の繰り返し表示となるが、60分の１秒間隔等という人の目の残像効果からすれば非常に高速で切換えられるのであたかもホワイトノイズの如き画面となるが、同期信号を有する信号なのでＰＤＰ11の各セルは所要の時間間隔で満遍なく高輝度および低輝度で繰り返して点灯されるので、非動作時等に見られるＰＤＰのセルの濃淡模様等の焼付きを減少（目立たなくする）させ、長寿命化を図ることができる。
【００１０】
【発明の効果】
以上に説明したように、本発明による表示器の焼付防止装置によれば、テレビジョンのチャンネル切換え等で映像入力が途切れたとき疑似ホワイトノイズ信号を入力し、ＰＤＰの各セルを所要セル数おきに１セルずつ順次位置をずらして高輝度で点灯させ、セルの焼付きを減少（目立たなくさせる）させるもので、ＰＤＰの画面はあたかもホワイトノイズの如き自然な画面となり、映像の濃淡の反転、映像の輝度下げ、あるいは別の映像に切換える場合のような不自然さのないものである。
【図面の簡単な説明】
【図１】本発明による表示器の焼付防止装置の一実施例の要部ブロック図である。
【図２】疑似ホワイトノイズパターンの例である。
【符号の説明】
１  ノイズパターン記憶部
２  Ｄ／Ａ変換部
３  疑似ホワイトノイズ信号生成部
４  端子（映像信号入力用）
５  映像信号検出部
６  時計部
７  制御部
８  スイッチ
９  Ａ／Ｄ変換部
10  信号処理部
11  ＰＤＰ（表示器）
【図１】
0003562225.tif 000002
【図２】
0003562225.tif 000003